(57)【要約】  【課題】スクリーンセーバ機能が働いてその後スクリーンの表示画面が真っ暗になることを観者に認識させることが可能なプロジェクタを提供する。  【解決手段】プロジェクタにおいて、ランプから発せられた光を入力信号に基づいて処理してスクリーンに投射して画像を表示する通常表示動作中に、映像信号およびキー信号の入力が無い信号無入力状態になると、スクリーンセーバモードを開始し、信号無入力状態のまま所定時間経過するまでの間、予め記憶され時間の経過に伴って変化する時間経過通知画像をスクリーンに投射して表示し、信号無入力状態のまま所定時間経過すると、主電源をＯＦＦすることなく、スクリーンの表示画面を真っ暗にする。【選択図】  図３
2007171869.tif 000002
【特許請求の範囲】
【請求項１】
光源から発せられた光を複数の色光に分離してＤＭＤ（Digital Micromirror  Device）に照射し、入力信号に基づいてＤＭＤのミラーを制御して画像を形成し、該画像をスクリーンに投射して表示する通常表示動作中に、入力信号が無い信号無入力状態が所定時間継続されるとスクリーンの表示画面を真っ暗にするスクリーンセーバ機能を有するプロジェクタにおいて、
前記通常表示動作中に前記信号無入力状態になると、前記信号無入力状態のまま所定時間経過するまでの間、時間の経過に伴って変化し最後に変化の終わりを表す時間経過通知画像をスクリーンに投射して表示し、前記信号無入力状態のまま所定時間経過すると、主電源をＯＦＦすることなく、ＤＭＤのミラーを固定しかつスクリーンの表示画面を真っ暗にすることを特徴とするプロジェクタ。
【請求項２】
光源から発せられた光を入力信号に基づいて処理してスクリーンに投射して画像を表示する通常表示動作中に、入力信号が無い信号無入力状態が所定時間継続されるとスクリーンの表示画面を真っ暗にするスクリーンセーバ機能を有するプロジェクタにおいて、
前記通常表示動作中に前記信号無入力状態になると、前記信号無入力状態のまま所定時間経過するまでの間、時間の経過に伴って変化する時間経過通知画像をスクリーンに投射して表示し、前記信号無入力状態のまま所定時間経過すると、主電源をＯＦＦすることなく、スクリーンの表示画面を真っ暗にすることを特徴とするプロジェクタ。
【請求項３】
請求項２に記載のプロジェクタにおいて、
前記時間経過通知画像として、スクリーンの表示画面が真っ暗になるまでの時間をカウントダウンしながら表示することを特徴とするプロジェクタ。
【発明の詳細な説明】
【技術分野】
【０００１】
本発明は、スクリーンに画像を表示するプロジェクタのスクリーンセーバ機能に関するものである。
【背景技術】
【０００２】
大画面表示が可能な装置として、近年プロジェクタが普及している。プロジェクタは、パーソナルコンピュータやビデオ等の外部機器から入力された映像信号、またはキー操作により入力されたキー信号に基づいて、光源から発せられた光を処理してレンズを介しスクリーンに投射することにより、スクリーンに画像を任意の大きさで表示する。
【０００３】
比較的新しい技術であるＤＬＰ（Digital Light Processing）方式を採用したプロジェクタでは、光源であるランプ、レンズ、信号処理回路、制御回路、および電源回路等の他に、カラーホイールとＤＭＤ（Digital Micromirror Device）が設けられている。カラーホイールは、赤、緑、青のカラーフィルタが円周方向に交互に配列された円板からなり、モータにより回転して、ランプから発せられた白色光をカラーフィルタのいずれかを透過させて赤色光、緑色光、青色光に分離する。ＤＭＤは、半導体メモリ上に数十万個の微小なマイクロミラーが集積された素子であって、メモリセルが割り当てられた個々のマイクロミラーにより画素が構成される。マイクロミラーは、２方向に傾動することができる構造になっていて、メモリ値に応じて静電吸引力によりいずれかの方向に傾動し、傾動方向によってＯＮ／ＯＦＦの２値の状態をとる。カラーホイールにより分離された各色光は、ＤＭＤのマイクロミラーに照射される。このとき、マイクロミラーがＯＮ状態にあるときは、該ミラーで反射された光がレンズに取り込まれてスクリーンに投射され、ＯＦＦ状態にあるときは、該ミラーで反射された光がレンズに取り込まれずスクリーンに投射されない。つまり、入力された映像信号等に基づいて、個々のマイクロミラーの動作状態をＯＮ／ＯＦＦに制御することにより、ＤＭＤに画像を形成して、該画像をレンズで拡大してスクリーンに投射して表示する。
【０００４】
従来からプロジェクタには、省電力化や、ＤＭＤのような表示処理用デバイスの保護等のため、画像の通常表示動作中に、映像信号やキー信号の入力が無い状態が所定時間継続されると、スクリーンの表示画面を真っ暗にするスクリーンセーバ機能を有するものがある。例えば、下記の特許文献１では、透過型液晶パネルを用いたプロジェクタにおいて、同期信号が無入力状態になったときに、予め用意された無入力状態に応じた画像（画像信号の無入力状態を警告するメッセージ画像や青色のべた画像等）を表示し、該無入力状態が所定時間継続されたときに、照明光を減光して省電力化し、さらに該無入力状態が所定時間継続されたときに、投写表示制御部以外への電力供給を遮断して表示を停止し、その後さらに該無入力状態が所定時間継続されたときに、主電源をＯＦＦしてプロジェクタの動作を停止している。
【０００５】
また、従来からプロジェクタには、電源投入時に入力信号以外の所定の画像を表示するものがある。例えば、下記の特許文献２では、ＣＲＴまたは液晶フラットパネルを用いたプロジェクタにおいて、電源投入時にランプの明るさが安定するまで入力画面を非表示にして、その状況をユーザに知らせるために入力信号以外の予め用意された初期画面（例えば、ブルーバック画面、メーカのロゴ表示画面、または入力映像が表示可能になるまでの待ち時間表示画面等）を表示している。
【０００６】
【特許文献１】特開２００３−３３０１１５号公報
【特許文献２】特開２００４−９３８９３号公報
【発明の開示】
【発明が解決しようとする課題】
【０００７】
上述したように従来のプロジェクタでは、ビデオ等から入力された映像信号に基づく画像をスクリーンに表示する通常表示動作中に、映像信号が入力されなくなると、スクリーンセーバ機能が働いて、所定時間経過後に表示を停止し、スクリーンの表示画面を真っ暗にしていた。しかしこのようにすると、信号無入力状態になってから所定時間が経過するまでの間、スクリーンを観ている観者（ユーザ）は、プロジェクタでスクリーンセーバ機能が働いて、時間が経過していることを認識し難かった。そのため、その後スクリーンの表示画面が真っ暗になったときに、観者は不意をつかれて、真っ暗になった原因が分からず、プロジェクタでランプ等の部品の消耗や故障が発生したのではないかと不安になることがあった。
【０００８】
上述した特許文献１では、信号無入力状態になってから所定時間が経過するまでの間、予め用意された画像信号の無入力状態を警告するメッセージ画像や青色のべた画像等をスクリーンに表示するが、このような画像では、観者は、画像信号の無入力状態は認識できるが、プロジェクタでスクリーンセーバ機能が働いて、時間が経過していることは認識し難い。また、上述した特許文献２では、入力信号以外の予め用意された待ち時間表示画面を表示するが、これはプロジェクタの電源投入時にランプの明るさが安定して入力信号に基づく画像を表示可能になるまでの間に該待ち時間を表示する技術であり、スクリーンセーバ機能とは無関係で、当該機能に関連するような記載は全くない。
【０００９】
本発明は、上記問題点を解決するものであって、その課題とするところは、スクリーンセーバ機能が働いてその後スクリーンの表示画面が真っ暗になることを観者に認識させることが可能なプロジェクタを提供することにある。
【課題を解決するための手段】
【００１０】
本発明は、光源から発せられた光を入力信号に基づいて処理してスクリーンに投射して画像を表示する通常表示動作中に、入力信号が無い信号無入力状態が所定時間継続されるとスクリーンの表示画面を真っ暗にするスクリーンセーバ機能を有するプロジェクタにおいて、通常表示動作中に信号無入力状態になると、信号無入力状態のまま所定時間経過するまでの間、時間の経過に伴って変化する時間経過通知画像をスクリーンに投射して表示し、信号無入力状態のまま所定時間経過すると、主電源をＯＦＦすることなく、スクリーンの表示画面を真っ暗にする。
【００１１】
このように、プロジェクタで通常表示動作中に信号無入力状態になってから所定時間が経過するまでの間に、時間の経過に伴って変化する時間経過通知画像をスクリーンに表示すると、観者は該時間経過通知画像を観て、信号無入力状態になったためスクリーンセーバ機能が働いて、時間が徐々に経過していることが分かり、その後スクリーンの表示画面が真っ暗になることを認識可能となる。この結果、その後スクリーンの表示画面が真っ暗になったときに、観者は不意をつかれず、真っ暗になった原因がプロジェクタで自動的に実行されたスクリーンセーバ機能によるものであることが理解でき、プロジェクタでランプ等の部品の消耗や故障が発生したのではないかと不安になることはない。また、信号無入力状態のまま所定時間経過すると、プロジェクタの主電源をＯＦＦすることなく、スクリーンの表示画面を真っ暗にするので、その後映像信号またはキー信号が入力されたときに、即座に各部を動作させて、該信号に対応する処理（映像信号の場合は該信号に基づく画像のスクリーンへの表示、キー信号の場合は該信号に基づく各部の制御）を行うことができる。またこれに加えて、主電源の自動制御が不要になって、各部を制御するコントローラの処理負担を軽減することができる。さらに、単なる黒色や青色のべた画像等のような変化しない画像ではなく、時間の経過に伴って変化する時間経過通知画像をスクリーンに表示するので、観者の注意を引き易く、退屈で煩わしいと感じさせ難くすることができる。
【００１２】
また、本発明の一実施形態では、前記時間経過通知画像として、スクリーンの表示画面が真っ暗になるまでの時間をカウントダウンしながら表示する。
【００１３】
このようにすると、観者は、スクリーンセーバ機能が働いて、スクリーンの表示画面が真っ暗になるまでの所定時間が徐々に経過していることを容易に認識することができる。
【００１４】
さらに、本発明の典型的な実施形態では、光源から発せられた光を複数の色光に分離してＤＭＤ（Digital Micromirror Device）に照射し、入力信号に基づいてＤＭＤのミラーを制御して画像を形成し、該画像をスクリーンに投射して表示する通常表示動作中に、入力信号が無い信号無入力状態が所定時間継続されるとスクリーンの表示画面を真っ暗にするスクリーンセーバ機能を有するプロジェクタにおいて、通常表示動作中に信号無入力状態になると、信号無入力状態のまま所定時間経過するまでの間、時間の経過に伴って変化し最後に変化の終わりを表す時間経過通知画像をスクリーンに投射して表示し、信号無入力状態のまま所定時間経過すると、主電源をＯＦＦすることなく、ＤＭＤのミラーを固定しかつスクリーンの表示画面を真っ暗にする。
【００１５】
このように、プロジェクタで通常表示動作中に信号無入力状態になってから所定時間が経過するまでの間に、時間の経過に伴って変化する時間経過通知画像をスクリーンに表示すると、観者は該時間経過通知画像を観て、信号無入力状態になったためスクリーンセーバ機能が働いて、時間が徐々に経過していることが分かり、その後スクリーンの表示画面が真っ暗になることを認識可能となる。また、時間経過通知画像が最後に、即ちスクリーンの表示画面が真っ暗になるまでの所定時間が経過する直前に、変化の終わりを表すので、観者はスクリーンの表示画面が真っ暗になるまさにその時を容易に認識することができる。この結果、その後スクリーンの表示画面が真っ暗になったときに、観者は不意をつかれず、真っ暗になった原因がプロジェクタで自動的に実行されたスクリーンセーバ機能によるものであることが容易に理解でき、プロジェクタでランプ等の部品の消耗や故障が発生したのではないかと不安になることはない。また、信号無入力状態のまま所定時間経過すると、プロジェクタの主電源をＯＦＦすることなく、ＤＭＤのミラーを固定しかつスクリーンの表示画面を真っ暗にするので、その後映像信号またはキー信号が入力されたときに、即座に各部を動作させて、該信号に対応する処理（映像信号の場合は該信号に基づく画像のスクリーンへの表示、キー信号の場合は該信号に基づく各部の制御）を行うことができる。またこれに加えて、ＤＭＤを不必要に動作させず、休止させて保護することができるとともに、主電源の自動制御が不要になって、各部を制御するコントローラの処理負担を軽減することができる。さらに、単なる黒色や青色のべた画像等のような変化しない画像ではなく、時間の経過に伴って変化する時間経過通知画像をスクリーンに表示するので、観者の注意を引き易く、退屈で煩わしいと感じさせ難くすることができる。
【発明の効果】
【００１６】
本発明によれば、プロジェクタで通常表示動作中に信号無入力状態になってから所定時間が経過するまでの間に、時間の経過に伴って変化する時間経過通知画像をスクリーンに表示するので、観者は、信号無入力状態になったためスクリーンセーバ機能が働いて、時間が徐々に経過していることが分かり、その後スクリーンの表示画面が真っ暗になることを認識可能となる。
【発明を実施するための最良の形態】
【００１７】
以下、本発明の実施形態につき図面を参照して説明する。図１は、本発明の実施形態に係るプロジェクタ１の外観図である。図１において、２はプロジェクタ１の本体、３はこの本体２の前面に設けられた投射部、４は本体２の前面に設けられたリモコン受信部、５は本体２の側面に設けられた電源スイッチ、６は本体２の上面に設けられた操作部である。リモコン受信部４は、図示しないリモコンからの信号を受信する。操作部６には、ボタンタイプのメニューキー、選択キー、モード切替キー、入力切替キー等の各種キーが設けられている。なお、リモコンにも、上記と同様のキーが設けられている。本体２の後面には、図示していないが、パーソナルコンピュータ等のＯＡ機器およびビデオやＤＶＤ（Digital Versatile Disk）プレーヤ等のＡＶ機器と接続するためのケーブルを嵌合するコネクタと、コンセント等から電力の供給を受けるための電源ケーブルを嵌合するコネクタ等が設けられている。
【００１８】
図２は、プロジェクタ１の構成を示したブロック図である。本プロジェクタ１は、ＤＬＰ（Digital Light Processing）方式を採用したプロジェクタである。１０は白色光を発する光源としてのランプである。１１は赤、緑、青のカラーフィルタが円周方向に交互に配列された円板からなるカラーホイールであって、ランプ１０から発せられた白色光をカラーフィルタのいずれかを透過させて赤色光、緑色光、青色光に分離する。１２はミラー等からなる光学系であって、カラーホイール１１で分離された各色光を導く。１３はＤＭＤ（Digital Micromirror Device）であって、光学系１２から照射される各色光に基づいて画像を形成する。ＤＭＤ１３は、前述のように、半導体メモリ上に集積された複数のマイクロミラー（図示省略）を有し、マイクロミラーの傾動方向に応じたＯＮ／ＯＦＦ状態により、該ミラーで反射された光の方向を切り替える。１４はＤＭＤ１３から出射する画像光をスクリーン２０上に投影するためのレンズである。
【００１９】
１５は外部（パーソナルコンピュータやビデオ等）から入力された映像信号に対して所定の処理を行う回路からなる信号処理部である。１６はＣＰＵやメモリ等からなるコントローラであって、プロジェクタ１の各部の動作制御を行う。コントローラ１６には、後述する時間の経過に伴って変化する時間経過通知画像のデータが予め記憶されていて、該時間経過通知画像をＤＭＤ１３およびレンズ１４等を介してスクリーン２０にオンスクリーン表示するためのＯＳＤ（On Screen Display）回路１６ａと、時間を計測するためのタイマ１６ｂとが内蔵されている。１７はカラーホィール１１を回転させるモータである。４は図１で示したリモコン受信部である。６は図１で示した操作部である。１８は各部へ電源を供給するための電源部である。１９は電源ランプ等からなる表示部である。
【００２０】
外部からの入力映像信号が信号処理部１５で処理された後、コントローラ１６が信号処理部１５から出力される信号（ＲＧＢ信号をビットプレーンフォーマットに変換した信号）に基づいて、ＤＭＤ１３の個々のマイクロミラーの動作状態をＯＮ／ＯＦＦに制御することで、ＤＭＤ１３に入力映像信号に基づくカラー画像が形成される。また、コントローラ１６がＯＳＤ回路１６ａにより、予め記憶された上記時間経過通知画像のデータに基づいて、ＤＭＤ１３の個々のマイクロミラーの動作状態をＯＮ／ＯＦＦに制御することで、ＤＭＤ１３に時間経過通知画像が形成される。これらの際、コントローラ１６によって、カラーホイール１１の回転とＤＭＤ１３の駆動との同期がとられる。そして、ＤＭＤ１３に形成された画像は、レンズ１４で任意の大きさに拡大されて、スクリーン２０に投射され表示される。コントローラ１６は、上記のように入力映像信号に基づく画像をスクリーン２０に投射して表示するプロジェクタ１の通常表示動作中に、ＤＭＤ１３の保護のため、後述するように映像信号または操作部６やリモコンからのキー信号の入力が無い信号無入力状態が所定時間継続されるとスクリーン２０の表示画面を真っ暗にするスクリーンセーバ機能を自動的に実行する。
【００２１】
図３は、プロジェクタ１の動作手順を示したフローチャートである。各処理は、コントローラ１６が実行する。電源スイッチ５がユーザにより操作されたことを受けて、プロジェクタ１の主電源をＯＮ状態にし、電源部１８から各部へ電力を供給しているときに、外部から信号処理部１５へ映像信号が入力されると、コントローラ１６は、上述したように各部を制御して、該映像信号に基づく画像をスクリーン２０に表示する通常表示動作を行う（ステップＳ１）。つまり、ランプ１０から発せられた光をカラーホィール１１で赤色光、緑色光、青色光に分離してＤＭＤ１３に照射し、外部からの入力映像信号を信号処理部１５で処理して、信号処理部１５から入力される信号に基づいて、ＤＭＤ１３のマイクロミラーを制御して画像を形成し、該画像をレンズ１４を介してスクリーン２０に投射する。
【００２２】
そして通常表示動作中に、外部からの映像信号の入力が無く、操作部６やリモコンからのキー信号の入力も無い信号無入力状態になると（ステップＳ２：ＹＥＳ）、コントローラ１６は、スクリーンセーバモード（機能）を開始する（ステップＳ３）。ステップＳ３ａ〜Ｓ３ｋは、スクリーンセーバモードの詳細手順を示している。
【００２３】
まず、コントローラ１６は、タイマ１６ｂで信号無入力状態になってからの経過時間の計測を開始し（ステップＳ３ａ）、次いで、映像信号およびキー信号の無入力状態が継続しているか否かを判定する（ステップＳ３ｂ）。ここで、信号無入力状態が継続していれば（ステップＳ３ｂ：ＹＥＳ）、タイマ１６ｂの計測時間を参照して、所定時間が経過したか否かを判定する（ステップＳ３ｃ）。この所定時間は、信号無入力状態になってからスクリーン２０の表示画面を真っ暗にするまでの待ち時間であって、ユーザが操作部６を操作することにより自由に設定および変更することができる。これ以外に、上記所定時間を予め設定して、コントローラ１６の内蔵メモリに変更できないように記憶しておいてもよい。
【００２４】
ステップＳ３ｃで信号無入力状態のまま所定時間が経過していなければ（ステップＳ３ｃ：ＮＯ）、ＯＳＤ回路１６ａにより、経過した時間に応じた時間経過通知画像をスクリーン２０に表示する（ステップＳ３ｄ）。つまり、経過した時間に応じた時間経過通知画像のデータを読み出し、該データに基づいてＤＭＤ１３のマイクロミラーを制御して該時間経過通知画像を形成し、該時間経過通知画像をレンズ１４を介してスクリーン２０に投射する。そして、ステップＳ３ｂへ移行して、再び映像信号およびキー信号の無入力状態が継続しているか否かを判定し、継続していれば（ステップＳ３ｂ：ＹＥＳ）、所定時間が経過したか否かを判定し（ステップＳ３ｃ）、未だ所定時間が経過していなければ（ステップＳ３ｃ：ＮＯ）、上記のように経過した時間に応じた時間経過通知画像をスクリーン２０に表示する（ステップＳ３ｄ）。つまり、信号無入力状態のまま所定時間が経過するまでの間、スクリーン２０に経過時間に応じて時間経過通知画像を表示し、該画像の表示を切り換える。
【００２５】
図４は、スクリーン２０の表示画面３０の一例を示す図である。本図は、図３のステップＳ３ｃの所定時間として、５分が設定されている場合を例に挙げている。図３のステップＳ３ｄが最初に実行されると、図４（ａ）に示すように背景が黒色または青色等の単一色で、真ん中に表示画面３０が真っ暗になるまでの待ち時間を示す「あと５分」の文字を背景とは異なる色で表した時間経過通知画像３１ａがスクリーン２０に表示される。この後、信号無入力状態で経過した時間に応じて表示画面３０が真っ暗になるまでの時間がカウントダウンされ、ステップS３ｄが２回目に実行されると、最初に表示された時間経過通知画像３１ａに代えて、図４（ｂ）に示すようにカウントダウン後の時間を示す「あと４分」の文字を表した時間経過通知画像３１ｂがスクリーン２０に表示される。さらに、ステップＳ３ｄが繰り返し実行されると、上記と同様に時間経過通知画像３１ｂに代えて、カウントダウン後の時間を示す「あと３分」、「あと２分」、「あと１分」等の文字を表した時間経過通知画像（図示省略）がスクリーン２０に表示される。そして、表示画面３０が真っ暗になるまでの時間が１分を切ると、図４（ｃ）に示すように時間経過通知画像の変化の終わりを連想させる「あと０分」の文字を表した時間経過通知画像３１ｃが、最後の時間経過通知画像としてスクリーン２０に表示される。
【００２６】
図３のステップＳ３ｂで映像信号またはキー信号が入力されて信号無入力状態でなくなると（ステップＳ３ｂ：ＮＯ）、時間経過通知画像をスクリーン２０に表示している場合は、主電源をＯＦＦすることなく、該時間経過通知画像の表示を停止し（ステップＳ３ｅ）、タイマ１６ｂによる信号無入力状態になってからの経過時間の計測を停止する（ステップＳ３ｆ）。なお、時間経過通知画像をスクリーン２０に表示していない場合は、ステップＳ３ｅの処理は省略し、ステップＳ３ｆの処理だけを実行する。そして、スクリーンセーバモードを終了し（ステップＳ３ｋ）、入力された信号に応じた処理（即ち、入力されたのが映像信号の場合は該映像信号に基づく画像のスクリーン２０への表示、キー信号の場合は該キー信号に基づく各部の制御）を実行する（ステップＳＳ４）。
【００２７】
一方、ステップＳ３ｂで映像信号およびキー信号の無入力状態が継続したまま（ステップＳ３ｂ：ＹＥＳ）、ステップＳ３ｃで所定時間が経過すると（ステップＳ３ｃ：ＹＥＳ）、主電源をＯＦＦすることなく、時間経過通知画像の表示を停止し（ステップＳ３ｇ）、ＤＭＤ１３の各マイクロミラーをＯＦＦ状態で固定しかつスクリーン２０の表示画面３０を図４（ｄ）に示すように真っ暗にし（ステップＳ３ｈ）、タイマ１６ｂによる信号無入力状態になってからの経過時間の計測を停止する（ステップＳ３ｉ）。この後、映像信号またはキー信号が入力されて信号無入力状態でなくなると（ステップＳ３ｊ：ＮＯ）、スクリーンセーバモードを終了し（ステップＳ３ｋ）、入力された信号に応じた処理を実行する（ステップＳＳ４）。
【００２８】
以上のように、プロジェクタ１で通常表示動作中に信号無入力状態になってから所定時間が経過するまでの間に、時間の経過に伴って変化する時間経過通知画像３１ａ〜３１ｃをスクリーン２０に表示すると、観者（ユーザ）は該時間経過通知画像３１ａ〜３１ｃを観て、信号無入力状態になったためスクリーンセーバ機能が働いて、時間が徐々に経過していることが分かり、その後スクリーン２０の表示画面３０が真っ暗になることを認識可能となる。
【００２９】
また、時間経過通知画像３１ａ〜３１ｃによりスクリーン２０の表示画面３０が真っ暗になるまでの待ち時間をカウントダウンした値を文字で表示するので、観者は、スクリーンセーバ機能が働いて、表示画面３０が真っ暗になるまでの所定時間が徐々に経過していることを容易に認識することができる。さらに、スクリーン２０の表示画面３０が真っ暗になるまでの所定時間が経過する直前に、変化の終わりを表す最後の時間経過通知画像３１ｃを表示するので、観者は表示画面３０が真っ暗になるまさにその時を容易に認識することができる。
【００３０】
上記の結果、スクリーン２０の表示画面３０が真っ暗になったときに、観者は不意をつかれず、真っ暗になった原因がプロジェクタ１で自動的に実行されたスクリーンセーバ機能によるものであることが容易に理解でき、プロジェクタ１でランプ１０等の部品の消耗や故障が発生したのではないかと不安になることはない。
【００３１】
また、信号無入力状態のまま所定時間経過すると、プロジェクタ１の主電源をＯＦＦすることなく、ＤＭＤ１３のマイクロミラーをＯＦＦ状態で固定しかつスクリーン２０の表示画面３０を真っ暗にするので、その後映像信号またはキー信号が入力されたときに、即座に各部を動作させて、該信号に対応する処理を行うことができる。またこれに加えて、ＤＭＤ１３を不必要に動作させず、休止させて保護することができるとともに、主電源の自動制御が不要になって、各部を制御するコントローラ１６の処理負担を軽減することができる。
【００３２】
さらに、信号無入力状態になってから所定時間が経過するまでの間に、単なる黒色や青色のべた画像等のような変化しない画像ではなく、時間の経過に伴って変化する時間経過通知画像３１ａ〜３１ｃをスクリーン２０に表示するので、観者の注意を引き易く、退屈で煩わしいと感じさせ難くすることができる。
【００３３】
本発明は、以上の実施形態以外にも種々の形態を採用することができる。例えば、以上の実施形態では、信号無入力状態のまま所定時間経過するまでの間に、図４に示したスクリーン２０の表示画面３０が真っ暗になるまでの待ち時間をカウントダウンした値を文字で表す時間経過通知画像３１ａ〜３１ｃをスクリーン２０に表示した例を挙げているが、本発明はこれのみに限定するものではない。これに代えて、例えば、図５に示すような信号無入力状態になってからの経過時間をカウントアップした値を文字で表す時間経過通知画像３２ａ〜３２ｃや、図６に示すような現在時間を文字で表す時間経過通知画像３３ａ〜３３ｃを表示するようにしてもよい。また、例えば、上記待ち時間、経過時間、または現在時間を、メータやグラフや時計等の図で表す時間経過通知画像を表示するようにしてもよい。さらに、例えば、図７に示すような図形を時間の経過に伴ってフェードアウトして行く時間経過通知画像３４ａ〜３４ｃや、図８に示すような物体が落下する様子を表す図を時間の経過に伴って変化させて行く時間経過通知画像３５ａ〜３５ｃを表示するようにしてもよい。これらのような時間の経過に伴って変化する時間経過通知画像を、信号無入力状態のまま所定時間経過するまでの間にスクリーンに表示すれば、観者は、信号無入力状態になったためスクリーンセーバ機能が働いて、時間が徐々に経過していることが分かり、その後スクリーンの表示画面が各図の（ｄ）に示すように真っ暗になることを認識可能となる。また、図７や図８の実施形態では、最後に図形が消えたり物体が地に着いたりするというように、変化の終わりを表す時間経過通知画像３４ｃ、３５ｃが表示されるので、観者はスクリーンの表示画面が真っ暗になるまさにその時を容易に認識することができる。つまり、本発明における時間経過通知画像としては、時間の経過に伴って変化する画像であればよい。
【００３４】
また、以上の実施形態では、本発明をＤＬＰ方式を採用したプロジェクタ１に適用した例を挙げているが、本発明はこれ以外にも、例えば液晶パネルを用いたプロジェクタ等のような、他の方式を採用したプロジェクタに適用することが可能である。
【図面の簡単な説明】
【００３５】
【図１】本発明の実施形態に係るプロジェクタの外観図である。
【図２】同プロジェクタの構成を示したブロック図である。
【図３】同プロジェクタの動作手順を示したフローチャートである。
【図４】同プロジェクタによるスクリーンの表示画面の一例を示す図である。
【図５】他の実施形態に係るスクリーンの表示画面の一例を示す図である。
【図６】他の実施形態に係るスクリーンの表示画面の一例を示す図である。
【図７】他の実施形態に係るスクリーンの表示画面の一例を示す図である。
【図８】他の実施形態に係るスクリーンの表示画面の一例を示す図である。
【符号の説明】
【００３６】
１    プロジェクタ
１０  ランプ
１３  ＤＭＤ
２０  スクリーン
３０  表示画面
３１ａ〜３１ｃ  時間経過通知画像
３２ａ〜３２ｃ  時間経過通知画像
３３ａ〜３３ｃ  時間経過通知画像
３４ａ〜３４ｃ  時間経過通知画像
３５ａ〜３５ｃ  時間経過通知画像
【図１】
2007171869.tif 000003
【図２】
2007171869.tif 000004
【図３】
2007171869.tif 000005
【図４】
2007171869.tif 000006
【図５】
2007171869.tif 000007
【図６】
2007171869.tif 000008
【図７】
2007171869.tif 000009
【図８】
2007171869.tif 000010